(57)【要約】【課題】  木質製内枠材が反り返ったりせずに木質の重厚感を高め、室内への雨水や冷気等の侵入を防ぐ耐水性・断熱性・気密性・遮音性に優れた複合サッシを提供する。【解決手段】  窓枠１に障子枠２を嵌めて構成されるサッシでにおいて、前記窓枠１および前記障子枠２の少なくとも一方を室外側に面する合成樹脂製外枠材１１ａ，１１ｂと室内側に面する木質製内枠材１２ａ，１２ｂとで構成し、前記合成樹脂製外枠材１１ａ，１１ｂは、室内側に窓の外縁に沿って凹状に形成された嵌合凹溝２１ａ，２１ｂを有しており、前記木質製内枠材は、前記嵌合凹溝２１ａ，２１ｂに嵌合される凸状の嵌合凸部２２ａ，２２ｂを有するとともに、室内側の内枠面を前記合成樹脂製外枠材１１ａ，１１ｂを覆うフランジ部を有する。【選択図】  図１
0003135224.tif 000002
【実用新案登録請求の範囲】
【請求項１】
窓枠に障子枠を嵌めて構成されるサッシであって、
前記窓枠および前記障子枠の少なくとも一方を室外側に面する合成樹脂製外枠材と室内側に面する木質製内枠材とで構成し、
前記合成樹脂製外枠材は、室内側に窓の外縁に沿って凹状に形成された嵌合凹溝を有しており、
前記木質製内枠材は、前記嵌合凹溝に嵌合される凸状の嵌合凸部を有するとともに、室内側の内枠面を前記合成樹脂製外枠材を覆うフランジ部を有することを特徴とする複合サッシ。
【請求項２】
請求項１において、前記合成樹脂製外枠材と前記木質製内枠材とから構成される前記窓枠および前記障子枠は、複数の框を接合して枠組みされており、各木質製内枠材同士の接合面には前記合成樹脂製外枠材と同一素材の合成樹脂製シートを介在させて前記合成樹脂製外枠材とともに熱溶着して接合されていることを特徴とする複合サッシ。
【請求項３】
請求項１または請求項２において、前記障子枠は、室内側の木質製内枠材と窓ガラスとの間に前記合成樹脂製外枠材を介在させるとともに、この合成樹脂製外枠材の上縁部のうち室内側上縁部を前記木質製内枠材の上端面よりも低い範囲内で前記木質製内枠材に沿って上方に延出させて結露堰を形成し、この結露堰を有する前記合成樹脂製外枠材と前記窓ガラスとによって結露貯留ポケットを構成したことを特徴とする複合サッシ。
【請求項４】
請求項１から請求項３のいずれかにおいて、複合サッシが引き違い窓の場合、前記窓枠および前記障子枠は、上框、下框、および左右の縦框からなる枠組み構造を備えており、前記窓枠の上框の下面および下框の上面の各長手方向には、断面略凸形状のレール部が形成されており、前記障子枠の上框の上面および下框の下面の各長手方向には、前記レール部にスライド可能に嵌合する断面凹形状のスライド凹部が形成されており、
前記スライド凹部の凹状を形成する２つの開口縁部には、長手方向にブラシ状の外気遮蔽部材が前記窓枠の前記レール部に接するように取り付けられており、
前記レール部には、長手方向に前記外気遮蔽部材に接する長さおよび角度で延出された軟質性気密保持部材が設けられていることを特徴とする複合サッシ。
【請求項５】
請求項１から請求項４のいずれかにおいて、複合サッシが引き違い窓の場合、障子枠の召し合わせ構造を構成する縦框には、互いに対向する召し合わせ面にそれぞれ対向側の縦框に接する長さを備え、かつ、斜めに延出された縦框用軟質性外気遮蔽部材が上下の長手方向に沿って設けられていることを特徴とする複合サッシ。
【考案の詳細な説明】
【技術分野】
【０００１】
本考案は、建具に関し、特に、室外側が合成樹脂製外枠材からなり、室内側が木質製内枠材からなる、耐水性・断熱性・気密性・遮音性を備え、室内において木のぬくもりを感じることのできる複合サッシに関するものである。
【背景技術】
【０００２】
従来より、複合サッシは、室外側と室内側に異なる部材を用いて、室外側の耐水性等の耐候性と、室内側の外観に係る意匠性を備えるものであり、室外側には金属製外枠材を用い、室内側には木質製内枠材を用いた複合サッシが提案されている。
【０００３】
例えば、特開２００６−１２４９３２号公報には、木部と樹脂部とを予め接着剤で一体化させた内枠材をアルミニウム等の金属製の外枠材にビスで接合固定させた窓サッシ用の障子枠材が提案されている（特許文献１）。この発明によれば、前記内枠材の樹脂部により、金属製の外枠材に発生する結露水が木部に浸潤するのを防止し、さらに、木部と樹脂部との一体化により、枠材の増加によるコストの増大と組み立て工数の増加及び枠材間のがたつきを回避できるとされている。
【０００４】
また、特開２００７−０３２２１９号公報には、室外側に金属製部材、室内側に合成樹脂製部材と木製部材とで構成された複合サッシが提案されている（特許文献２）。この複合サッシは、木質框部材が合成樹脂製框部材の室内側に着脱自在に固定されており、室内側の結露を防止し、組立、取付施工あるいはメンテナンス時の取り付け、取り外しが容易であるとされている。また、枠部材と框部材との間および内外の召し合せ框間は各々框部材または枠部材に止水部材が設けられて塞がれているため、雨水等が室内側に流れ込むことがないとされている。
【０００５】
【特許文献１】特開２００６−１２４９３２号公報
【特許文献２】特開２００７−０３２２１９号公報
【考案の開示】
【考案が解決しようとする課題】
【０００６】
しかしながら、特許文献１および特許文献２に記載された発明においては、いずれも木質製内枠材を単に外観上の質感を高めるために使用されていることから、木質製内枠材が薄い板状に形成されており、合成樹脂製枠材との接合には接着剤とビスまたは取付部材を介し、接合面が単なる一平面で断ち切った状態に形成されている。このため、薄い木質製内枠材が時間経過により反り返ったり、合成樹脂製枠材との接合面に隙間ができて結露水が溜まって腐朽しやすいという問題がある。
【０００７】
また、金属製外枠材と木質製内枠材の間に合成樹脂製枠材を設けることにより、金属製外枠材で発生した結露水が木質製内枠材へ浸潤するを防止するものの、ガラスから発生した結露水は下方に流れ込み、障子枠や窓枠の木質製内枠材に浸潤して腐朽してしまう問題がある。
【０００８】
さらに、金属製外枠材と合成樹脂製枠材、木質製内枠材の３つの部材を利用しているため、製作工程が複雑で、組み立て工数の増加および枠材間のがたつきを完全に回避するのは困難であるという問題がある。
【０００９】
そして、特許文献１に記載の発明においては、引き違い窓として利用する際に、障子枠の上下框と窓枠に取り付けられたレールとの隙間および障子枠の召し合わせ框間には、気密性や水密性を高める工夫がなされておらず、強い風雨の際には雨水や冷気などの侵入を完全に防ぐことができず、室内に入り込んでくるリスクが高いという問題もある。
【００１０】
特許文献２に記載された発明においては、引き違い窓として利用する際に、水密性を高める工夫として止水部材が設けられているが、雨水等が室内側に流れ込むことがないことにとどまり、気密性を高め、冷気などの侵入を防ぐには十分でないという問題がある。
【００１１】
本考案は、このような問題点を解決するためになされたものであって、木質製内枠材が反り返ったりせずに木質の重厚感を高め、室内への雨水や冷気等の侵入を防ぐ耐水性・断熱性・気密性・遮音性に優れた複合サッシを提供することを目的としている。
【課題を解決するための手段】
【００１２】
本考案に係る複合サッシの特徴は、窓枠に障子枠を嵌めて構成されるサッシであって、前記窓枠および前記障子枠の少なくとも一方を室外側に面する合成樹脂製外枠材と室内側に面する木質製内枠材とで構成し、前記合成樹脂製外枠材は、室内側に窓の外縁に沿って凹状に形成された嵌合凹溝を有しており、前記木質製内枠材は、前記嵌合凹溝に嵌合される凸状の嵌合凸部を有するとともに、室内側の内枠面を前記合成樹脂製外枠材を覆うフランジ部を有する点にある。
【００１３】
また、本考案において、前記合成樹脂製外枠材と前記木質製内枠材とから構成される前記窓枠および前記障子枠は、複数の框を接合して枠組みされており、各木質製内枠材同士の接合面には前記合成樹脂製外枠材と同一素材の合成樹脂製シートを介在させて前記合成樹脂製外枠材とともに熱溶着して接合されていることが好ましい。
【００１４】
さらに、本考案において、前記障子枠は、室内側の木質製内枠材と窓ガラスとの間に前記合成樹脂製外枠材を介在させるとともに、この合成樹脂製外枠材の上縁部のうち室内側上縁部を前記木質製内枠材の上端面よりも低い範囲内で前記木質製内枠材に沿って上方に延出させて結露堰を形成し、この結露堰を有する前記合成樹脂製外枠材と前記窓ガラスとによって結露貯留ポケットを構成することが好ましい。
【００１５】
さらにまた、本考案において、複合サッシが引き違い窓の場合、前記窓枠および前記障子枠は、上框、下框、および左右の縦框からなる枠組み構造を備えており、前記窓枠の上框の下面および下框の上面の各長手方向には、断面略凸形状のレール部が形成されており、前記障子枠の上框の上面および下框の下面の各長手方向には、前記レール部にスライド可能に嵌合する断面凹形状のスライド凹部が形成されており、前記スライド凹部の凹状を形成する２つの開口縁部には、長手方向にブラシ状の外気遮蔽部材が前記窓枠の前記レール部に接するように取り付けられており、前記レール部には、長手方向に前記外気遮蔽部材に接する長さおよび角度で延出された軟質性気密保持部材が設けられていることが好ましい。
【００１６】
さらにまた、本考案において、複合サッシが引き違い窓の場合、障子枠の召し合わせ構造を構成する縦框には、互いに対向する召し合わせ面にそれぞれ対向側の縦框に接する長さを備え、かつ、斜めに延出された縦框用軟質性外気遮蔽部材が上下の長手方向に沿って設けられていることが好ましい。
【考案の効果】
【００１７】
本考案によれば、合成樹脂製外枠材と木質製内枠材とを用いた複合サッシにおいて、木質製内枠材が反り返るのを防ぎ、窓ガラスに発生した結露水が室内側の木質製内枠材に浸潤するのを防ぎ、また、耐水性・断熱性・気密性・遮音性を高めることができる。
【考案を実施するための最良の形態】
【００１８】
以下、本考案に係る複合サッシの一実施形態について図面を用いて説明する。
【００１９】
図１は本考案に係る複合サッシを引き違い窓に適用した実施形態を示す斜視図であり、図２は本実施形態の複合サッシを縦方向に切断して横から見た状態の一部を縦断面図とした説明図、図３は本実施形態の複合サッシを横方向に切断して上から見た状態の一部を横断面図とした説明図、図４は図２の下框周辺部を拡大した図、図５は図４のレール部分をさらに拡大した図である。
【００２０】
図１から図３に示すように、本実施形態の複合サッシは、窓枠１が図示しない壁に設けられた開口に合わせて嵌め込まれ、障子枠２は窓枠１の開口を塞ぐように取り付けられている。
【００２１】
窓枠１および障子枠２は、いずれも室外側に面する部分は合成樹脂製外枠材１１ａ，１１ｂから構成されているとともに、室内側に面する部分は木質製内枠材１２ａ，１２ｂから構成されている。そして、室外側に面する合成樹脂製外枠材１１ａ，１１ｂの屋外に露出する面には、アクリル樹脂１３ａ，１３ｂが押出成形等によって合成樹脂製外枠材１１ａ，１１ｂと一体的に構成されており、耐候性が高められている。
【００２２】
前記合成樹脂製外枠材１１ａ，１１ｂには、室内側に窓の外縁に沿って凹状に形成された嵌合凹溝２１ａ，２１ｂが形成されている。前記木質製内枠材１２ａ，１２ｂには、前記嵌合凹溝２１ａ，２１ｂに嵌合される凸状の嵌合凸部２２ａ，２２ｂが形成されているとともに、室内側の内枠面における前記合成樹脂製外枠材１１ａ，１１ｂを覆うフランジ部が形成されている。そして、前記合成樹脂製外枠材１１ａ，１１ｂの嵌合凹溝２１ａ，２１ｂに前記木質製内枠材１２ａ，１２ｂの嵌合凸部２２ａ，２２ｂを長手方向からスライドさせて挿入し、各凹凸部を嵌め合わせている。室内側面は、ほぼ全体が木質製内枠材１２ａ，１２ｂによる木の質感を呈するようになっている。
【００２３】
これにより、従来のサッシの空気層に相当する嵌合凹溝２１ａ，２１ｂは嵌合凸部２２ａ，２２ｂで埋められ、木質製内枠材１２ａ，１２ｂはブロック状の厚みを備えるため、木質性内枠材１２ａ，１２ｂは合成樹脂製外枠材１１ａ、１１ｂと単なる一平面で断ち切った状態の接合面にならず、時間経過により反り返らずにサッシの強度と気密性を高め、それを維持することができる。また、従来の複合サッシに比べると使用部材が少なく組立工数が少ないことからも、枠材間のがたつきを回避し安定性を高くすることができる。
【００２４】
また、前記合成樹脂製外枠材１１ａ，１１ｂと前記木質製内枠材１２ａ，１２ｂとから構成される前記窓枠１および前記障子枠２は、それぞれ前記合成樹脂製外枠材１１ａ，１１ｂと前記木質製内枠材１２ａ，１２ｂとから構成される框２３ａ，２３ｂを上下左右４本備える四周の枠組みから構成されている。上下左右の４本の框２３ａ，２３ｂは、直角の四周枠組み構造となるように各両端が斜めに切断された框接合面２４ａ，２４ｂに形成されている。そして、各木質製内枠材１２ａ，１２ｂの框接合面２４ａ，２４ｂには、前記合成樹脂製外枠材１１ａ，１１ｂと同一素材の合成樹脂製シートを介在させて、前記合成樹脂製外枠材１１ａ，１１ｂとともに熱により溶解して直角に固着させている。これにより合成樹脂材料と木質材料とが固着される。なお、框の接合をより強く固定するために枠の外から窓枠の框接合面２４ａおよび障子枠の框接合面２４ｂのそれぞれにボルトを貫通させてナットにより締め付けてもよい。
【００２５】
また、図４に示すように、前記障子枠２には、合成樹脂製外枠材１１ｂの室外側面に位置する開口縁部に、断面が略長方形の合成樹脂製のガラス押さえ３１が長手方向に沿って嵌め込まれ、前記ガラス押さえ３１と前記合成樹脂製外枠材１１ｂとで窓ガラス３を取り付けるためのガラス嵌め溝３２が構成されている。
【００２６】
前記ガラス押さえ３１における窓ガラス３との接触部分にはウレタン系軟質材の２枚の軟質ゴムを上下に配したガラス留め３３が接着されており、前記ガラス嵌め溝３２の室内側にはウレタン系軟質材の３枚の軟質ゴムを上下に配したガラス留め３３が嵌め込まれており、これらのガラス留め３３を介して障子枠２の溝に窓ガラス３が嵌め込まれている。
【００２７】
また、前記ガラス押さえ３１は、屋外側の露出面がアクリル樹脂１３ｂで覆われており、障子枠２の合成樹脂製外枠材１１と外観上、違和感なく連結されている。
【００２８】
また、図１ないし図４に示すように、前記障子枠２において、室内側の木質製内枠材１２ｂと窓ガラス３との隙間には、ガラス嵌め溝３２の片側を構成する合成樹脂製外枠材１１ｂが介在されている。この合成樹脂製外枠材１１ｂの上縁部のうち室内側上縁部は、前記木質製内枠材１２ｂの上端面よりも低い範囲内で前記木質製内枠材１２ｂに沿って上方に延出させて結露堰３４を形成している。この結露堰３４を有する前記合成樹脂製外枠材１１ｂと前記窓ガラス３とによって結露貯留ポケット３５が構成されている。
【００２９】
これにより、窓ガラス３に発生した結露水が下方に流れ落ち、下の框に流れ込んでも合成樹脂部材１１ｂからなる結露堰３４で堰き止め、結露貯留ポケット３５で結露水を貯留することができるため、結露水が木質製内枠材１２ｂに浸潤することがない。
【００３０】
次に、図４および図５に示すように、前記窓枠１の上框２３ａ１の下面および下框２３ａ２の上面の各長手方向には、各々２本の断面略凸形状のレール部４１が設けられている。一方、前記障子枠２の上下框のうち前記窓枠１と接する面、つまり前記障子枠２の上框２３ｂ１の上面および下框２３ｂ２の下面の各長手方向には、前記レール部４１にスライド可能に嵌合する断面略凹形状のスライド凹部４２が形成されており、この障子枠２のスライド凹部４２を窓枠１のレール部４１に嵌めることにより引き違い窓として窓の開閉が可能となっている。
【００３１】
そして、図４および図５に示すように、前記障子枠２のスライド凹部４２の凹状を形成する２つの開口縁部には、ビニール製の薄い膜を芯材とするブラシ状の外気遮蔽部材４３が長手方向に沿って取り付けられている。また、窓枠１のレール部４１には、図４から図６に示すように、前記外気遮蔽部材４３に接する長さおよび角度で左右に延出されたウレタン系軟質材の軟質性気密保持部材４４を設けたレールキャップ４５が長手方向に沿って前記レール部４１に被せられている。
【００３２】
なお、軟質性気密保持部材４４は、レールキャップ４５の開口方向に延出されており、前記窓枠１の上框２３ａ１の下面に設ける場合には軟質性気密保持部材４４が斜め上方に向けて延出するようにレールキャップ４５を設置し、下框の上面に設ける場合には図４および図５に示すように軟質性気密保持部材４４が斜め下方に向けて延出するようにレールキャップ２８を設置する。また、窓開閉時にはブラシ状の前記外気遮蔽部材４３が軟質性気密保持部材４４を滑るよう接している。
【００３３】
図４および図５に示すように、前記レールキャップ４５により、窓枠１と障子枠２の境界において最も冷気等の入ってくる可能性の高いレール部４１での気密性を高めることができる。しかも、前記軟質性気密保持部材４４にウレタン系軟質材の軟質ゴムを適用することにより、前記障子枠２のブラシ状の外気遮蔽部材４３がレールキャップ４５との摺動において、前記軟質性気密保持部材４４の側面と滑らかに接し、窓の開閉がスムーズに行える。さらに、たとえ前記軟質性気密保持部材４４が経時的に劣化してきても、前記ブラシ状の外気遮蔽部材４３は、軟質性気密保持部材４４と気密性を保持できるように、ブラシの毛の長さが設定されており、長期間気密性を長く維持することができる。
【００３４】
次に、障子枠２の召し合わせ構造における気密性手段について図７を参照しつつ説明する。図７は、障子枠２の召し合わせ部分を横方向に切断して上から見た図である。図７に示すように、前記障子枠２の召し合わせ構造を構成する縦框２３ｂ３には、互いに対向する召し合わせ面に、それぞれ軟質ゴム製の二本の縦框用軟質性外気遮蔽部材５１が上下の長手方向に沿って取り付けられている。縦框用軟質性外気遮蔽部材５１は、それぞれ対向側の縦框に接する長さで、断面略ハの字状に斜めに延出されており、窓を閉じた際に二本の縦框用軟質性外気遮蔽部材５１が対向側の窓の縦框と密接するように設置されている。
【００３５】
これにより、障子枠２同士の境界において最も冷気等の入ってくる可能性の高い召し合わせ部分での気密性を高めることができる。
【００３６】
つぎに、本考案に係る複合サッシの性能試験について公的機関を利用して実施したので以下に実施例として説明する。
【実施例１】
【００３７】
＜断熱性能試験１＞
本実施形態の引違い窓について、断熱性試験を行った。
試験体は、引違い窓（ガラス仕様：３ＦＬ−Ａ１０−３ＦＬ−Ａ１０−３ＬｏｗＥアルゴンガス入り）とし、試験体の寸法は、枠外法で幅１６００ｃｍ×高さ１８００ｃｍ、枠内法で幅１４７２ｃｍ×高さ１６７１．８ｃｍ、試験体姿勢は垂直、熱流方向は水平にて、ＪＩＳ  Ａ  ４７１０−２００４「建具の断熱性能試験方法」に準拠した試験方法にて行った。ここで、ＦＬはフロートガラス、Ａは中間層を示している。
その結果、本試験体の熱貫流抵抗（Ｒ）は０．６２５ｍ２Ｋ／Ｗとなり、ＪＩＳ  Ａ  １７０６「サッシ」の断熱性Ｈ−５等級（Ｒ≧０．４３０ｍ２Ｋ／Ｗ）に相当し、極めて断熱性効果に優れていることが示された。
【００３８】
＜断熱性能試験２＞
本考案に係る複合サッシを縦すべり出し窓に適用した場合について、断熱性試験を行った。
試験体は、縦すべり出し窓（ガラス仕様：３ＦＬ−Ａ１６−３ＬｏｗＥアルゴンガス入り）とし、試験体の寸法は、枠外法で幅８００ｃｍ×高さ１８００ｃｍ、枠内法で幅６７４ｃｍ×高さ１６７４ｃｍ、試験体姿勢は垂直、熱流方向は水平にて、ＪＩＳ  Ａ  ４７１０−２００４「建具の断熱性能試験方法」に準拠した試験方法にて行った。
その結果、本試験体は、熱貫流抵抗（Ｒ）は０．６７６ｍ２Ｋ／Ｗとなり、ＪＩＳ  Ａ  １７０６「サッシ」の断熱性Ｈ−５等級（Ｒ≧０．４３０ｍ２Ｋ／Ｗ）に相当し、極めて断熱性効果に優れていることが示された。
【実施例２】
【００３９】
本考案に係る複合サッシを縦すべり出し窓に適用した場合について、気密・水密・耐風圧性試験を行った。試験体は、縦すべり出し窓（ガラス仕様：３ＦＬ−Ａ１６−３ＬｏｗＥアルゴンガス入り）とし、試験体の寸法は、枠外法で幅８００ｃｍ×高さ１４５０ｃｍ、枠見込１８９ｍｍとした。
＜気密性試験＞
試験方法は、ＪＩＳ  Ａ  １５１６−１９９８に準拠して行った。その結果、正圧の各圧力差における通気量は、ＪＩＳ  Ａ  ４７０６−２０００に規定される気密性等級Ａ−４において、気密性等級を上回らなかった。なお、１０Ｐａ差圧時換算の最大通気量は、１．１８ｍ３／ｈ・ｍ２（１０Ｐａ昇圧時）であった。
＜水密性試験＞
試験方法は、ＪＩＳ  Ａ  １５１７−１９９６に準拠して行った。その結果、ＪＩＳ  Ａ  ４７０６−２０００に規定される水密性等級Ｗ−５の条件において、枠外への流れだ出汁、しぶき、吹き出し、あふれ出しは発生しなかった。
＜耐風圧性試験＞
試験方法は、ＪＩＳ  Ａ  １５１５−１９９８に準拠して行った。その結果、ＪＩＳ  Ａ  ４７０６−２０００に規定される耐風圧性等級Ｓ−４において、各測定点とも正圧・負圧加圧時に基準以下の変形量であった。また、除圧後、枠及び戸の部材、金具その他に機能上支障のある残留変形はなかった。
以上より、本実施形態の複合サッシが気密性、水密性、耐風圧性に優れていることがわかる。
【００４０】
以上のような本実施形態によると、
１．窓枠材および障子枠材として室外側には合成樹脂製外枠材を配置し、室内側には木質製内枠材を配置しているため、アルミ材を使用する場合に比べて窓枠および障子枠の結露を防ぎつつ、効果的に木質感を得ることができる。
２．従来のサッシの空気層が木で埋められているため強度と気密性が高い。
３．木質製内枠材の経時的な反り返りがない。
４．合成樹脂製外枠材と木質製内枠材との接合面に隙間ができず、結露水等による木質製内枠材の腐朽を防ぐ。
５．木質製内枠材と合成樹脂製外枠材との枠材間のがたつきが無く安定性が高い。
６．室内面のほぼ全体が木質製内枠材であるため重厚な木質感として高い意匠性が得られる。
７．結露堰により結露水の木質製内枠材への浸潤を防ぐ。
８．障子枠と窓枠の境界の気密性を高め、窓の開閉がスムーズにできる。
９．障子枠同士の境界の気密性を高める等の効果を奏することができる。
【００４１】
なお、本考案に係る複合サッシは、前述した実施形態である引き違い窓に限定されるものではなく、縦すべり出し窓や横すべり出し窓、ハメ殺し窓等に適宜変更することができる。
【００４２】
また、本考案に係る複合サッシは、前述した実施形態である上下左右の４本の框からなる４周枠組み構造のみならず、三角形、多角形、円形、上部が円形になっているような、複数の框を接合して枠組みされているものも含まれる。
【００４３】
本考案に係る複合サッシは、前述した実施形態である窓枠と障子枠の両方が本発明に係る合成樹脂製外枠材と木質製内枠材とからなる構造となっているが、窓枠１のみ又は障子枠２のみが本考案に係る構造であってもよい。
【図面の簡単な説明】
【００４４】
【図１】本考案に係る複合サッシを引き違い窓とした時の実施形態を示す斜視図である。
【図２】本実施形態の縦断面図である。
【図３】本実施形態の横断面図である。
【図４】図２の下框周辺部の拡大図である。
【図５】図４のレール部の拡大図である。
【図６】本実施形態のレールキャップの拡大図である。
【図７】図３の召し合わせ部分の拡大図である。
【符号の説明】
【００４５】
１  窓枠
２  障子枠
３  ガラス
１１ａ  窓枠の合成樹脂製外枠材
１１ｂ  障子枠の合成樹脂製外枠材
１２ａ  窓枠の樹脂木質製内枠材
１２ｂ  障子枠のア樹脂木質製内枠材
１３ａ  窓枠のアクリル樹脂
１３ｂ  障子枠のアクリル樹脂
２１ａ  窓枠の嵌合凹溝
２１ｂ  障子枠の嵌合凹溝
２２ａ  窓枠の嵌合凸部
２２ｂ  障子枠の嵌合凸部
２３ａ１  窓枠の上框
２３ａ２  窓枠の下框
２３ａ３  窓枠の縦框
２３ｂ１  障子枠の上框
２３ｂ２  障子枠の下框
２３ｂ３  障子枠の縦框
２４ａ  窓枠の框接合面
２４ｂ  障子枠の框接合面
３１  ガラス押さえ
３２  ガラス嵌め溝
３３  ガラス留め
３４  結露堰
３５  結露貯留ポケット
４１  レール部
４２  スライド凹部
４３  外気遮蔽部材
４４  軟質性気密保持部材
４５  レールキャップ
５１  縦框用軟質性外気遮蔽部材
【図１】
0003135224.tif 000003
【図２】
0003135224.tif 000004
【図３】
0003135224.tif 000005
【図４】
0003135224.tif 000006
【図５】
0003135224.tif 000007
【図６】
0003135224.tif 000008
【図７】
0003135224.tif 000009